(57)【要約】【課題】複数個の四角板状のパネル部材及びパネル部材を相互に連結する複数個の連結部材からなり、パネル部材の閉口している前端面及び後端面の各端部に各二個ずつ計四個の嵌着孔を形成し、連結部材に対向するパネル部材の各嵌着孔に嵌着可能な複数個の嵌着部を形成してなるから、パネル部材の閉口している前端面及び後端面の各端部に各二個ずつ計四個形成された嵌着孔に連結部材形成された嵌着部を嵌着することによりパネル部材を連結することができ、各パネル部材を容易に連結することができ、整理棚を容易に組み立てることができる。【解決手段】パネル部材１の閉口している前端面１ａ及び後端面１ｂの各端部に各二個ずつ計四個の嵌着孔２を形成し、連結部３材に対向するパネル部材の各嵌着孔に嵌着可能な複数個の嵌着部４を形成してなる。【選択図】図１
2006000218.tif 000002
【特許請求の範囲】
【請求項１】
複数個の四角板状のパネル部材及び該パネル部材を相互に連結する複数個の連結部材からなり、上記パネル部材の閉口している前端面及び後端面の各端部に各二個ずつ計四個の嵌着孔を形成し、上記連結部材に対向するパネル部材の各嵌着孔に嵌着可能な複数個の嵌着部を形成してなることを特徴とする組立式整理棚。
【請求項２】
上記連結部材は略Ｌ状に形成され、上記嵌着孔に嵌着可能な二個の嵌着部が形成されていることを特徴とする請求項１記載の組立式整理棚。
【請求項３】
上記連結部材は略Ｔ状に形成され、上記嵌着孔に嵌着可能な三個の嵌着部が形成されていることを特徴とする請求項１又は２記載の組立式整理棚。
【請求項４】
上記連結部材は略十状に形成され、上記嵌着孔に嵌着可能な四個の嵌着部が形成されていることを特徴とする請求項１〜３のいずれか１項に記載の組立式整理棚。
【請求項５】
上記パネル部材の前端面及び後端面に隣り合う開口端面に嵌着可能なキャップ部材を設けてなることを特徴とする請求項１〜４のいずれか１項に記載の組立式整理棚。
【発明の詳細な説明】
【技術分野】
【０００１】
本発明は例えば書籍や日用品、小物類を整理する際に用いられる組立式整理棚に関するものである。
【背景技術】
【０００２】
従来、この種の組立式整理棚として、複数個の四角板状のパネル部材を上下及び左右に配置し、これらパネル部材を連結部材としてのネジやダボにより連結して外枠体を形成し、この外枠体に上下に棚板を配置してなる構造のものが知られている。
【特許文献１】特開２００４−０５７７２７号公報
【発明の開示】
【発明が解決しようとする課題】
【０００３】
しかしながら上記従来構造の場合、パネル部材をネジやダボにより連結する構造となっているので、組立が面倒なことがあるという不都合を有している。
【課題を解決するための手段】
【０００４】
本発明はこれらの不都合を解決することを目的とするもので、本発明のうちで、請求項１記載の発明は、複数個の四角板状のパネル部材及び該パネル部材を相互に連結する複数個の連結部材からなり、上記パネル部材の閉口している前端面及び後端面の各端部に各二個ずつ計四個の嵌着孔を形成し、上記連結部材に対向するパネル部材の各嵌着孔に嵌着可能な複数個の嵌着部を形成してなることを特徴とする組立式整理棚にある。
【０００５】
又、請求項２記載の発明は、上記連結部材は略Ｌ状に形成され、上記嵌着孔に嵌着可能な二個の嵌着部が形成されていることを特徴とするものであり、又、請求項３記載の発明は、上記連結部材は略Ｔ状に形成され、上記嵌着孔に嵌着可能な三個の嵌着部が形成されていることを特徴とするものであり、又、請求項４記載の発明は、上記連結部材は略十状に形成され、上記嵌着孔に嵌着可能な四個の嵌着部が形成されていることを特徴とするものであり、又、請求項５記載の発明は、上記パネル部材の前端面及び後端面に隣り合う開口端面に嵌着可能なキャップ部材を設けてなることを特徴とするものである。
【発明の効果】
【０００６】
本発明は上述の如く、請求項１記載の発明にあっては、複数個の四角板状のパネル部材及び該パネル部材を相互に連結する複数個の連結部材からなり、上記パネル部材の閉口している前端面及び後端面の各端部に各二個ずつ計四個の嵌着孔を形成し、上記連結部材に対向するパネル部材の各嵌着孔に嵌着可能な複数個の嵌着部を形成してなるから、上記パネル部材の閉口している前端面及び後端面の各端部に各二個ずつ計四個形成された嵌着孔に連結部材形成された嵌着部を嵌着することによりパネル部材を連結することができ、各パネル部材を容易に連結することができ、整理棚を容易に組み立てることができる。
【０００７】
又、請求項２記載の発明にあっては、上記連結部材は略Ｌ状に形成され、上記嵌着孔に嵌着可能な二個の嵌着部が形成されているから、パネル部材が二個Ｌ状に交差する部位を確実に連結することができ、又、請求項３記載の発明にあっては、上記連結部材は略Ｔ状に形成され、上記嵌着孔に嵌着可能な三個の嵌着部が形成されているから、パネル部材が三個Ｔ状に交差する部位を確実に連結することができ、又、請求項４記載の発明にあっては、上記連結部材は略十状に形成され、上記嵌着孔に嵌着可能な四個の嵌着部が形成されているから、パネル部材が四個十状に交差する部位を確実に連結することができ、又、請求項５記載の発明にあっては、上記パネル部材の前端面及び後端面に隣り合う開口端面に嵌着可能なキャップ部材を設けてなるから、パネル部材の前端面及び後端面に隣り合う開口端面を閉塞することができる。
【発明を実施するための最良の形態】
【０００８】
図１乃至図２８は本発明の実施の形態例を示し、図１乃至図１３は第一形態例、図１４は第二形態例、図１５乃至図２３は第三形態例、図２４乃至図２８は第四形態例である。
【０００９】
図１乃至図１３の本発明の実施の第一形態例において、１はパネル部材であって、四角板状に形成され、この場合、合成樹脂成形され、図３の如く、前端面１ａ、後端面１ｂ、開口端面１ｃ及び開口端面１ｄからなる四角筒状にして内部に補強リブ１ｅが形成され、このパネル部材１の閉口している前端面１ａ及び後端面１ｂの各端部に各二個ずつ計四個の嵌着孔２・２・２・２を形成してなる。
【００１０】
３は連結部材であって、この場合、合成樹脂成形され、略Ｌ状に形成されて上記嵌着孔２・２に嵌着可能な二個の凸部状の嵌着部４・４が形成されてなる対称な連結部材Ｋ・Ｌと、略Ｔ状に形成されて上記嵌着孔２・２・２に嵌着可能な三個の凸部状の嵌着部４・４・４が形成されてなる連結部材Ｍが用いられている。
【００１１】
５はキャップ部材であって、この場合、合成樹脂成形され、上記パネル部材１の前端面１ａ及び後端面１ｂに隣り合う開口端面１ｃ・１ｄに嵌着可能に形成されている。
【００１２】
この実施の第一形態例は上記構成であるから、図２の如く、パネル部材１を１０個、連結部材Ｋ・Ｌを四個ずつ、連結部材Ｍを八個用意し、この１０個のパネル部材１の内、三個ずつ計六個のパネル部材１を左右両側に配置すると共に計四個のパネル部材１を上下四段に配置し、図４乃至図９の如く、連結部材３としての略Ｌ状の計八個の連結部材Ｋ・Ｌ及びＴ状の八個の連結部材Ｍの嵌着部４をパネル部材１の前端面１ａ及び後端面１ｂの各端部に形成された嵌着孔２に嵌着し、上記最上部及び最下部の左右のパネル部材１の前端面１ａ及び後端面１ｂに隣り合う開口端面１ｃ・１ｄに二個ずつ計四個のキャップ部材５を嵌着することにより、三個の収納部Ｆをもつ整理棚を組み立てることができる。
【００１３】
従って、複数個のパネル部材１を左右両側及び上下に配置し、連結部材３により各パネル部材１を連結することにより整理棚を組み立てることができ、この際、上記パネル部材１の閉口している前端面１ａ及び後端面１ｂの各端部に各二個ずつ計四個形成された嵌着孔２に連結部材３形成された嵌着部４を嵌着することによりパネル部材１を連結することができ、各パネル部材１を容易に連結することができ、整理棚を容易に組み立てることができる。
【００１４】
この場合、上記最上部及び最下部のパネル部材１の前端面１ａ及び後端面１ｂに隣り合う開口端面１ｃ・１ｄに二個ずつ計四個のキャップ部材５を嵌着することにより開口端面１ｃ・１ｄを閉塞することができると共にパネル部材１の共通化を図ることができる。
【００１５】
図１４の第二形態例は別例構造を示し、この場合、パネル部材１を７個、連結部材Ｋ・Ｌを四個ずつ、連結部材Ｍを４個用意し、７個のパネル部材１の内、二個ずつ計４個のパネル部材１を左右両側に配置すると共に計三個のパネル部材１を上下三段に配置し、連結部材３としての略Ｌ状の計八個の連結部材Ｋ・Ｌ及びＴ状の四個の連結部材Ｍの嵌着部４をパネル部材１の前端面１ａ及び後端面１ｂの各端部に形成された嵌着孔２に嵌着し、上記上部及び下部の左右のパネル部材１の前端面１ａ及び後端面１ｂに隣り合う開口端面１ｃ・１ｄに二個ずつ計四個のキャップ部材５を嵌着することにより、図１４に示す如く、二個の収納部Ｆをもつ整理棚を組み立てることができる。
【００１６】
この第二形態例にあっては、上記第一形態例と同様な作用効果を得ることができると共に、上記第一形態例と同じパネル部材１及び連結部材３により組み立てることができ、組立の融通性を得ることができる。
【００１７】
図１５乃至図２３の第三形態例は別例構造を示し、この場合、上記第一形態例の連結部材３に加えて、略十状に形成されて上記嵌着孔２に嵌着可能な四個の凸部状の嵌着部４・４・４・４が形成されてなる連結部材Ｎ及び略Ｔ状に形成されて上記嵌着孔２に嵌着可能な三個の凸部状の嵌着部４・４が形成されてなる連結部材Ｐが用いられている。
【００１８】
この第三形態例にあっては、パネル部材１を１２個、連結部材Ｋ・Ｌを四個ずつ、連結部材Ｍを４個、連結部材Ｐを４個、連結部材Ｎを２個用意し、この１２個のパネル部材１の内、上下二個ずつ計６個のパネル部材１を左右両側及び中央位置に配置すると共に左右二個ずつ計六個のパネル部材１を上下三段に配置し、連結部材３としての略Ｌ状の計八個の連結部材Ｋ・Ｌ及びＴ状の四個の連結部材Ｍ、略Ｔ状の連結部材Ｐを四個、略十状の連結部材Ｎの嵌着部４を、第一形態例及び図１８、図１９の如く、パネル部材１の前端面１ａ及び後端面１ｂの各端部に形成された嵌着孔２に嵌着し、上記上部、中央部及び下部のパネル部材１の前端面１ａ及び後端面１ｂに隣り合う開口端面１ｃ・１ｄに二個ずつ計６個のキャップ部材５を嵌着することにより、図１５に示す如く、左右二個、計四個の収納部Ｆをもつ整理棚を組み立てることができ、第一形態例と同じパネル部材１及び連結部材３により組み立てることができ、組立の融通性を得ることができる。
【００１９】
図２４乃至図２８の第四形態例は別例構造を示し、この場合、上記連結部材３に加えて、略Ｌ状に形成されて上記嵌着孔２・２に嵌着可能な二個の凸部状の嵌着部４・４が形成されてなる左右対称の連結部材Ｑ・Ｒ及び上記キャップ部材５を兼ねた別のキャップ部材６を形成して構成している。
【００２０】
この第四形態例にあっては、パネル部材１を１０個、連結部材Ｋ・Ｌを四個ずつ、連結部材Ｍを２個、連結部材Ｎを２個、連結部材Ｐを２個、連結部材Ｑ・Ｒを１個ずつ用意し、１０個のパネル部材１の内、上下二個ずつ計４個のパネル部材１を左側及び中央に配置し、一個のパネル部材１を右側に配置し、左側及び中央のパネル部材１間に上下三段にパネル部材１を配置し、上記第二形態例及び図２６に示す如く、連結部材Ｋ・Ｌ、連結部材Ｍ、連結部材Ｎ、連結部材Ｐ、連結部材Ｑ・Ｒの嵌着部４をパネル部材１の前端面１ａ及び後端面１ｂの各端部に形成された嵌着孔２に嵌着し、上記上部及び下部の左及び中央のパネル部材１の前端面１ａ及び後端面１ｂに隣り合う開口端面１ｃ・１ｄに二個ずつ計四個のキャップ部材５を嵌着すると共に右側のパネル部材１の開口端面１ｃにキャップ部材６を嵌着することにより、図２４に示す如く、三個の収納部Ｆをもつ整理棚を組み立てることができ、第一形態例と同じパネル部材１及び連結部材３により組み立てることができ、組立の融通性を得ることができる。
【００２１】
尚、本発明は上記実施の形態例に限られるものではなく、パネル部材１の数や形態、嵌着孔２、連結部材３、嵌着部４の形態等は適宜変更して設計されるものである。
【００２２】
以上、所期の目的を充分達成することができる。
【図面の簡単な説明】
【００２３】
【図１】本発明の実施の第一形態例の全体斜視図である。
【図２】本発明の実施の第一形態例の全体分解斜視図である。
【図３】本発明の実施の第一形態例のパネル部材の斜視図である。
【図４】本発明の実施の第一形態例の部分斜視図である。
【図５】本発明の実施の第一形態例の部分斜視図である。
【図６】本発明の実施の第一形態例の部分斜視図である。
【図７】本発明の実施の第一形態例の部分斜視図である。
【図８】本発明の実施の第一形態例の部分斜視図である。
【図９】本発明の実施の第一形態例の部分斜視図である。
【図１０】本発明の実施の第一形態例の部分平断面図である。
【図１１】本発明の実施の第一形態例の部分縦断面図である。
【図１２】本発明の実施の第一形態例の部分縦断面図である。
【図１３】本発明の実施の第一形態例の部分縦断面図である。
【図１４】本発明の実施の第二形態例の全体斜視図である。
【図１５】本発明の実施の第三形態例の全体斜視図である。
【図１６】本発明の実施の第三形態例の全体分解斜視図である。
【図１７】本発明の実施の第三形態例の部分斜視図である。
【図１８】本発明の実施の第三形態例の部分斜視図である。
【図１９】本発明の実施の第三形態例の部分斜視図である。
【図２０】本発明の実施の第三形態例の部分平断面図である。
【図２１】本発明の実施の第三形態例の部分縦断面図である。
【図２２】本発明の実施の第三形態例の部分縦断面図である。
【図２３】本発明の実施の第三形態例の部分縦断面図である。
【図２４】本発明の実施の第四形態例の全体斜視図である。
【図２５】本発明の実施の第四形態例の全体分解斜視図である。
【図２６】本発明の実施の第四形態例の部分斜視図である。
【図２７】本発明の実施の第四形態例の部分斜視図である。
【図２８】本発明の実施の第四形態例の部分縦断面図である。
【符号の説明】
【００２４】
Ｆ    収納部
Ｋ    連結部材
Ｌ    連結部材
Ｍ    連結部材
Ｎ    連結部材
Ｐ    連結部材
Ｑ    連結部材
Ｒ    連結部材
１    パネル部材
１ａ    前端面
１ｂ    後端面
１ｃ    開口端面
１ｄ    開口端面
２    嵌着孔
３    連結部材
４    嵌着部
５    キャップ部材
６    キャップ部材
【図１】
2006000218.tif 000003
【図２】
2006000218.tif 000004
【図３】
2006000218.tif 000005
【図４】
2006000218.tif 000006
【図５】
2006000218.tif 000007
【図６】
2006000218.tif 000008
【図７】
2006000218.tif 000009
【図８】
2006000218.tif 000010
【図９】
2006000218.tif 000011
【図１０】
2006000218.tif 000012
【図１１】
2006000218.tif 000013
【図１２】
2006000218.tif 000014
【図１３】
2006000218.tif 000015
【図１４】
2006000218.tif 000016
【図１５】
2006000218.tif 000017
【図１６】
2006000218.tif 000018
【図１７】
2006000218.tif 000019
【図１８】
2006000218.tif 000020
【図１９】
2006000218.tif 000021
【図２０】
2006000218.tif 000022
【図２１】
2006000218.tif 000023
【図２２】
2006000218.tif 000024
【図２３】
2006000218.tif 000025
【図２４】
2006000218.tif 000026
【図２５】
2006000218.tif 000027
【図２６】
2006000218.tif 000028
【図２７】
2006000218.tif 000029
【図２８】
2006000218.tif 000030